(57)【特許請求の範囲】
【請求項１】
制御基板を収納する基板ケースと、
前記基板ケースを遊技機内に着脱可能に取り付ける取付ベースと
を備えた遊技機用の基板ケース取付装置において、
前記基板ケースの対向する両辺には、
少なくとも一対の取付部を設け、
前記取付ベースには、
前記一対の各取付部をそれぞれ固定するための少なくとも一対の固定部と、
載置することにより、前記基板ケースを高さ方向に位置決めする位置決め部とを設け、
前記一対の固定部のうち、いずれか少なくとも一方の第１の固定部は、他方の第２の固定部に対して離接する方向にスライド可能に、取付ベースに対して取り付けられ、
第２の固定部には、基板ケースにはまり込んで、基板ケースの厚み方向の位置決めをするブロックを形成した
ことを特徴とする遊技機用の基板ケース取付装置。
【請求項２】
前記取付ベースと前記第１の固定部との間には、
前記第１の固定部を前記第２の固定部に対して接近した位置に保持する第１の爪部と、
前記第１の固定部を前記第２の固定部に対して離隔した位置に保持する第２の爪部と
を設けていることを特徴とする請求項１記載の遊技機用の基板ケース取付装置。
【発明の詳細な説明】
【０００１】
【発明の属する産業分野】
この発明は、例えばパチンコ機等の遊技機用の基板ケース取付装置に関し、特に異なるサイズの基板ケースに対して取付装置を共通化できるようにしたものである。
【０００２】
【従来の技術】
従来、この種の基板ケース取付装置としては、基板ケースを遊技機の開閉扉に、例えばビスやネジ止めできるようにしたものが知られていた（例えば特開平２−２８０７８５号公報、特開平７−２１３６９７号公報）。
【０００３】
【発明が解決しようとする課題】
しかし、上記した従来の装置では、以下に示すような問題点があった。第１に、従来の装置では、ビスやネジ止めしていたため、基板ケースの着脱が面倒であった。第２に、基板ケースは、遊技機の種類により種々のサイズのものがあった。これに対し、基板ケースのサイズが異なると、ビスやネジ止め位置が異なってしまう。このため、従来の装置では、基板ケースのサイズに適合した種々のサイズの基板ケース取付装置を設計、製造しなければならなかった。
【０００４】
そこで、本発明は、上記した従来の技術の有する問題点に鑑み提案されたもので、以下の点を目的とする。
（請求項１）
すなわち、請求項１記載の発明は、次の２つの点を目的とする。第１は、基板ケースの着脱が容易にできるようにしたものである。
【０００５】
第２は、種々のサイズの基板ケースに対して取付装置を共通化できるようにしたものである。
（請求項２）
請求項２記載の発明は、上記した請求項１記載の発明の目的に加えて、次の点を目的とする。
【０００６】
すなわち、請求項２記載の発明は、少なくともサイズの異なる２つの基板ケースに対応し、位置決め並びに取り付けを迅速に行うことができるようにしたものである。
【０００７】
【課題を解決するための手段】
各請求項にそれぞれ記載された各発明は、上記した各目的を達成するためになされたものであり、各発明の特徴点を図面に示した発明の実施の形態を用いて、以下に説明する。なお、カッコ内の符号は、発明の実施の形態において用いた符号を示し、本発明の技術的範囲を限定するものでない。
【０００８】
また、図面番号も、発明の実施の形態において用いた図番を示し、本発明の技術的範囲を限定するものでない。
（請求項１）
請求項１記載の発明は、次の点を特徴とする。第１に、基板ケース(20)の対向する両辺には、例えば図１に示すように、少なくとも一対の取付部(50)を設けている。
【０００９】
なお、取付部(50)は、少なくとも一対あれば足り、３個以上設けても良い。第２に、取付ベース(30)には、例えば図１に示すように、少なくとも一対の各取付部(50)を固定するための少なくとも一対の固定部(60,70)と、載置することにより、前記基板ケース(20)を高さ方向に位置決めする位置決め部(80)とを設けている。なお、固定部(60,70)は、少なくとも一対あれば足り、３個以上設けても良い。
【００１０】
第３に、一対の固定部(60,70)のうち、いずれか少なくとも一方の第１の固定部(60)は、例えば図１、４に示すように、他方の第２の固定部(70)に対して離接する方向にスライド可能に、取付ベース(30)に対して取り付けられている。
第４に、第２の固定部には、基板ケースにはまり込んで、基板ケースの厚み方向の位置決めをするブロックを形成した。
（請求項２）
請求項２記載の発明は、上記した請求項１記載の発明の特徴点に加え、次の点を特徴とする。
【００１１】
すなわち、取付ベース(30)と第１の固定部(60)との間には、例えば図１に示すように、第１の爪部(100)と、第２の爪部(110)とを設けている。前記第１の爪部(100)は、例えば図４に二点鎖線で示すように、第１の固定部(60)を第２の固定部(70)に対して接近した位置に保持するものである。前記第２の爪部(110)は、例えば図４に実線で示すように、第１の固定部(60)を第２の固定部(70)に対して離隔した位置に保持するものである。
【００１２】
【発明の実施の形態】
（図面の説明）
図１〜５は、本発明の実施の形態の一例を示すものである。図１〜５は、遊技機用の基板ケース取付装置を示すもので、図１は、その分解斜視図、図２は、第２の固定部及び基板ケースの取付部の斜視図、図３は、取付ベースの平面図、図４は、図３に示した取付ベースの横断面図、図５は、第１の固定部及び基板ケースの取付部の斜視図をそれぞれ示す。
（基板ケース取付装置）基板ケース取付装置10は、図１に示すように、制御基板（図示せず）を収納する基板ケース20と、この基板ケース20を遊技機の開閉扉（図示せず）に着脱可能に取り付ける取付ベース30とを備えている。
【００１３】
具体的には、取付ベース30は、図１に示すように、例えば遊技機の開閉扉に取り付けた遊技盤40の裏側に取り付けられる。そして、この取付ベース30に基板ケース20を取り付けることにより、遊技機に制御基板を取り付けることができる。なお、遊技機として、例えばパチンコ機を例示したが、遊技機はこれに限らず、スロットマシン、いわゆるパチスロ、アレンジボール機などであってよい。
【００１４】
また、取付ベース30を開閉扉に取り付けた例を示したが、これに限らず、遊技機の筐体の内部に、取付ベース30を取り付けてもよい。さらに、取付ベース30を遊技盤40の裏側に取り付けたが、直接、遊技盤40の裏面に取り付けてもよいし、遊技盤40の裏側に配置された機構部材の背面に取り付けてもよい。
（基板ケース）
上記基板ケース20は、制御基板（図示せず）を収納した箱状の部材で、内部に収納した制御基板により、遊技機の遊技装置を制御することができる。
【００１５】
なお、一般的に、基板ケース20は、内部に収納した制御基板の改変等を防止するために、封印等により密封されている。したがって、制御基板を交換する際には、基板ケース20と一体に交換する必要がある。
（取付部）
前記基板ケース20には、図１〜５に示すように、左右に対向する左右の両辺に、左右一対の取付部50,50を設けている。
【００１６】
各取付部50は、図１，２，５に示すように、基板ケース20の両辺から、それぞれ外側に向かって突出し、基板ケース20の厚み方向に対向した一対の第１対向片51及び第２対向片52と、第１対向片51と第２対向片52との間に掛け渡すようにして設けた複数の差込片53・・・とから構成される。左右の取付部50,50により、基板ケース20を取付ベース30に取り付けることができる。
（取付ベース）
上記取付ベース30は、図１に示すように、可撓性及び弾性を有するプラスチック等により形成した板状の部材からなる。
【００１７】
取付ベース30の周囲には、複数の取付片31・・・を突出して設けている。したがって、取付片31・・・を介して遊技盤40にネジ止めすることにより、取付ベース30を遊技盤40に取り付けることができる。また、取付ベース30には、図１に示すように、遊技盤40に臨む一側面と反対側の他側面に、基板ケース20の左右一対の取付部50,50をそれぞれ固定するための左右一対の固定部60,70と、左右の固定部60、70の間隔内に位置し、基板ケース20を載置して位置決めを行うための位置決め部80とを設けている。
【００１８】
上記左右一対の固定部60,70は、図１に示すように、基板ケース20の取付部50,50にそれぞれ対向する位置に設けてあり、取付ベース30の一側（図１において右側）に設けた第１の固定部60と、取付ベース30の他側（図１において左側）に設けた第２の固定部70とから構成されている。また、取付ベース30には、図１に示すように、第１の固定部60をスライド可能に支持する上下一対のスライド溝90,90を、取付ベース30の左右の幅方向に設けている。
【００１９】
上記上下のスライド溝90、90の間隔内には、第１の固定部60のスライド位置を規制する第１の爪部100及び第２の爪部110とを設けている。したがって、位置決め部80により基板ケース20の上下の位置決めを行うとともに、第１の固定部60及び第２の固定部70の間に基板ケース20を位置させ、各取付部50に左右の固定部60,70を固定することにより、取付ベース30に基板ケース20を取り付けることができる。
（第１の固定部）
右側の第１の固定部60は、図５に示すように、取付ベース30のスライド溝90,90を挟んで対向する第１スライド部材120と、第２スライド部材130とを備えている。
【００２０】
上記第１スライド部材120は、図５に示すように、直方体状の部材からなり、基板ケース20の取付部50に対向する側に、第１〜第３の３つのブロック121〜123を、それぞれ間隔を隔てて突出して設けてある。そして、第１ブロック121と第２ブロック122との間に、差込片53を差し込む第１差込溝124を形成し、第２ブロック122と第３ブロック123との間に、差込片53を差し込む第２差込溝125を形成している。
【００２１】
また、第１スライド部材120には、図５に示すように、第１スライド部材120と第２スライド部材130とを連結するための一対の連結孔126,126を設けている。また、第１スライド部材120には、図５に示すように、第２スライド部材130に背向する側に、突出片127を設けている。この突出片127は、第１の固定部60をスライドさせる際に、摘んで操作するためのものである。
【００２２】
上記第２スライド部材130は、図５に示すように、板状の部材からなり、第１スライド部材120と対向する側に、取付ベース30に設けた一対のスライド溝90,90内をスライドするとともに、第１スライド部材120と連結するための一対のスライド片131,131を突出して設けている。そこで、取付ベース30の遊技盤40に臨む側から、第２スライド部材130を臨ませて、一対のスライド溝90,90内にスライド片131,131を挿入する。つぎに、取付ベース30の基板ケース20に臨む側から第１スライド部材120を臨ませて、連結孔126を介して第１スライド部材120と第２スライド部材130とをビス止めすると、第１の固定部60を取付ベース30にスライド可能に取り付けることができる。
【００２３】
第１の固定部60により基板ケース20の一側（図１において右側）を固定するには、図５に示すように、第１〜第３ブロック121〜123を設けた側に、基板ケース20の一側に設けた取付部50を臨ませ、第１差込溝124と第２差込溝125にそれぞれ差込片53を差し込めばよい。このようにして、取付部50内に第１の固定部60の第１〜第３ブロック121〜123を位置させることにより、基板ケース20の一側が左右の幅方向に固定される。さらに、第１対向片51及び第２対向片52の内面と、これらに対向する第１〜第３ブロック121〜123の厚み方向の両面とにより、基板ケース20が厚み方向に固定される。さらに、第１差込溝124及び第２差込溝125と、これらに差し込まれた差込片53,53とにより、基板ケース20が上下の幅方向に固定される。
（爪部）
上記第１の爪部100及び第２の爪部110は、図１，３，４に示すように、取付ベース30の一対のスライド溝90,90の間に、それぞれ断面略コ字状の切欠きを設けることにより形成されている。第１の爪部100は、第１の固定部60を第２の固定部70に対して接近した位置に保持するための部材（図３，４において左側）で、第２の爪部110は、第１の固定部60を第２の固定部70に対して離隔した位置に保持するための部材（図３，４において右側）である。
【００２４】
また、第１の爪部100及び第２の爪部110には、それぞれ先端側に、基板ケース20の取付側に向かって突出した係合部101,111を設けている。上記第１の爪部100及び第２の爪部110は、取付ベース30を可撓性及び弾性を有するプラスチック等の部材により形成しているため、切欠きの範囲内で、取付ベース30の厚み方向に撓ませることができる。
【００２５】
したがって、図４に示すように、取付部50に背向する第１の固定部60の側面を、第１の爪部100或いは第２の爪部110の係合部101,111に係合させることにより、第１の爪部100或いは第２の爪部110により、第１の固定部60の位置決めを行うことができる。また、第１の爪部100により位置決めを行った第１の固定部60を、第２の爪部110の位置に移動させるには、第１の爪部100を遊技盤40側に撓ませて、第１の爪部100の係合部101と第１の固定部60との係合を解除し、第１の固定部60を第２の爪部110に向かってスライドさせればよい。
【００２６】
また、第１の固定部60の第１スライド部材120には、図１，３，５に示すように、第１の固定部60のスライド位置を決定して、第１の固定部60を取付ベース30に固定するためのスライド位置固定孔128を設けている。一方、取付ベース30には、第１の固定部60が、それぞれ第１の爪部100或いは第２の爪部110によりスライド規制された際に、スライド位置固定孔128が臨む位置にスライド位置固定片32を設けている。
【００２７】
したがって、スライド位置固定孔128を介してスライド位置固定片32にビス止めを行うことにより、第１の固定部60を、それぞれ第１の爪部100或いは第２の爪部110によりスライド規制された位置に固定することができる。なお、本実施例では、スライド位置固定孔128とスライド位置固定片32とにより、第１の固定部60のスライド位置を固定しているが、これらを省略して、取付ベース30と第１の固定部60との摩擦のみによって、第１の固定部60のスライド位置を固定しても良い。
（第２の固定部）
上記第２の固定部70は、図２に示すように、直方体状の部材からなり、基板ケース20の取付部50に対向する側に、第１〜第４の４つのブロック71〜74を、それぞれ間隔を隔てて突出して設けている。そして、第１ブロック71と第２ブロック72との間に、差込片53を差し込む第１差込溝75を形成し、第３ブロック73と第４ブロック74との間に、差込片53を差し込む第２差込溝76を形成している。
【００２８】
また、第２の固定部70には、図２に示すように、第２の固定部70を取付ベース30に固定するための一対の固定孔77,77を設けている。したがって、第２の固定部70は、この固定孔77,77を介して取付ベース30にビス止めすることにより、取付ベース30に固定して取り付けることができる。なお、本実施例では、第２の固定部70を基板ケース20と別体として設けたが、第２の固定部70は、基板ケース20と一体に形成しても良い。
【００２９】
第２の固定部70により基板ケース20の他側（図１において左側）を固定するには、図２に示すように、第１〜第４ブロック71〜74を設けた側に、基板ケース20の他側に設けた取付部50を臨ませ、第１差込溝75と第２差込溝76にそれぞれ差込片53を差し込めばよい。このようにして、取付部50内に第２の固定部70の第１〜第４ブロック71〜74を位置させることにより、基板ケース20の他側が左右の幅方向に固定される。さらに、第１対向片51及び第２対向片52と、これらに対向する第１〜第４ブロック71〜74の上下の両面とにより、基板ケース20が厚み方向に固定される。さらに、第１差込溝及75び第２差込溝76と、これらに差し込まれる差込片53,53とにより、基板ケース20が上下の幅方向に固定される。
（基板ケースの着脱方法）
上記基板ケース取付装置10により、遊技盤40の裏面に基板ケース20を着脱する方法を説明する。
【００３０】
遊技盤40の裏面に基板ケース20を取り付けるには、まず、遊技盤40の裏面側に取付ベース30を臨ませ、取付片31を介して取付ベース30をビス止めする。つぎに、基板ケース20を取付ベース30に臨ませて、位置決め部80により上下方向の位置決めを行いながら、取付部50（図１において左側）を、第２の固定部70により固定する。
【００３１】
そして、図３，４に示すように、基板ケース20の左右の幅に合わせて、スライド溝90の範囲で第１の固定部60をスライドさせ、基板ケース20の取付部50（図１において右側）を、第１の固定部60により固定する。このとき、第１の固定部60のスライド位置は、第１の爪部100或いは第２の爪部110により規制される。つぎに、スライド位置固定孔128を介してスライド位置固定片32にビス止めを行い、第１の固定部60を、それぞれ第１の爪部100或いは第２の爪部110によりスライド規制された位置に固定する。
【００３２】
一方、遊技盤40の裏面から基板ケース20を取り外すには、スライド位置固定孔128とスライド位置固定片32とを固定しているビスを取り外し、第１の固定部60をスライド溝90の範囲内でスライド可能とする。つぎに、第１の固定部60に係合している第１の爪部100或いは第２の爪部110を遊技盤40側に撓ませて、第１の爪部100或いは第２の爪部110の係合部101,111と第１の固定部60との係合を解除し、第１の固定部60を第２の固定部70から離隔する方向にスライドさせる。
【００３３】
すると、第１の固定部60と基板ケース20の取付部50（図１において右側）との固定が解除される。つぎに、基板ケース20を第２の固定部70から離隔する方向に移動させると、第２の固定部70と基板ケース20の取付部50（図１において左側）との固定が解除され、取付ベース30から基板ケース20を取り外すことができる。
【００３４】
さらに、上記したと同様の手順により、新たな基板ケース20を取り付けることにより、基板ケース20及び基板ケース20に収納された制御基板を交換することができる。なお、上記した実施の形態では、取付ベース30は、例えば遊技盤40の裏面に取り付けると説明したが、取付ベース30を取り付けるのは、遊技盤40の裏面に限られず、例えば遊技機の筐体の内部に取付ベース30を取り付けるものであってもよい。
【００３５】
【発明の効果】
本発明は、以上のように構成されているので、以下に記載されるような効果を奏する。
（請求項１）
すなわち、請求項１記載の発明によれば、以下の２つの効果を奏する。
【００３６】
第１は、基板ケースの着脱が容易にできる。第２は、種々のサイズの基板ケースに対して取付装置を共通化することができる。
（請求項２）
請求項２記載の発明は、上記した請求項１記載の発明の効果に加えて、次の効果を奏する。
【００３７】
すなわち、請求項２記載の発明は、少なくともサイズの異なる２つの基板ケースに対応し、位置決め並びに取り付けを迅速に行うことができる。
【図面の簡単な説明】
【図１】  遊技機用の基板ケース取付装置の分解斜視図である。
【図２】  第２の固定部及び基板ケースの取付部の斜視図である。
【図３】  取付ベースの平面図である。
【図４】  図３に示した取付ベースの横断面図である。
【図５】  第１の固定部及び基板ケースの取付部の斜視図である。
【符号の説明】
10  基板ケース取付装置    20  基板ケース
30  取付ベース            31  取付片
32  スライド位置固定片    40  遊技盤
50  取付部                51  第１対向片
52  第２対向片            53  差込片
60  第１の固定部          70  第２の固定部
71  第１ブロック          72  第２ブロック
73  第３ブロック          74  第４ブロック
75  第１差込溝            76  第２差込溝
77  固定孔                80  位置決め部
90  スライド溝            100  第１の爪部
101  係合部              110  第２の爪部
111  係合部              120  第１スライド部材
121  第１ブロック        122  第２ブロック
123  第３ブロック        124  第１差込溝
125  第２差込溝          126  連結孔
127  突出片              128  スライド位置固定孔
130  第２スライド部材    131  スライド片
【図１】
0003677138.tif 000002
【図２】
0003677138.tif 000003
【図３】
0003677138.tif 000004
【図４】
0003677138.tif 000005
【図５】
0003677138.tif 000006